(57)【要約】【課題】供給者と消費者との間を行き交い、繰り返し使用できるように改良された通いフィルムロール搬送具を提供することを主要な目的とする。【解決手段】通いフィルムロール搬送具１１は、フィルムロール５の両端面に配置されてフィルムロール５の端面を保護する一対の折畳み式の端面保護具２２と、端面保護具２２によってフィルムロールの両端面を保護した状態で、該フィルムロール５を鉛直方向に立てて収納する折畳み式の段ボール箱２３とを備える。【選択図】図１
2016196324.tif 000002
【特許請求の範囲】
【請求項１】
平たく折畳める通いフィルムロール搬送具であって、
フィルムロールの両端面に配置されて該フィルムロールの端面を保護するための一対の折畳み式の端面保護具と、
前記端面保護具によって前記フィルムロールの両端面を保護した状態で、該フィルムロールを鉛直方向に立てて収納する、折畳み式の段ボール箱と、を備えた通いフィルムロール搬送具。
【請求項２】
前記段ボール箱の、天側と底側のそれぞれの、両開きする一対の内蓋には、親指が入る程度の大きさの指孔が該一対の内蓋の両方に跨って設けられている、請求項１に記載の通いフィルムロール搬送具。
【請求項３】
前記段ボール箱の外表面に設けられ、その上に粘着式ラベルを着脱可能に貼り付けるための凹凸表面を有するラベル貼り付け手段を備えた請求項１又２に記載の通いフィルムロール搬送具。
【請求項４】
前記折畳み式の端面保護具は、フィルムロールの両端面に配置されて該フィルムロールの端面を保護するための、第１の直立部材と第２の直立部材とが交差して板状部材の面上に直立する突出部を有するものであり、
段ボールシートが２枚重ねにされた板状部材を備え、
前記突出部の一方である前記第１の直立部材は、前記２枚重ねの一方の段ボールシートから切り出され、
前記突出部の他方である前記第２の直立部材は、前記２枚重ねの他方の段ボールシートから切り出されていることを特徴とする、請求項１〜３のいずれか１項に記載の通いフィルムロール搬送具。
【請求項５】
１枚の段ボールシートが折り曲げられて前記板状部材の２枚重ねが構成されている、請求項１に記載の通いフィルムロール搬送具。
【発明の詳細な説明】
【技術分野】
【０００１】
本発明は一般にフィルムロール搬送具に関するものであり、より特定的には供給者と消費者との間を行き交い、繰り返し使用できるように改良された通いフィルムロール搬送具に関する。
【背景技術】
【０００２】
図７は従来のフィルムロール搬送具を説明する図である。まず、図７（Ａ）に示すようなフィルムロールの端面を保護する一対の端面保護具４を準備する。端面保護具４は、矩形の段ボール紙１を２枚重ねて形成された板状部材２に、プラスチックで形成された突出部３が設けられてなる。図７（Ｂ）に示すように、端面保護具４は、その突出部３をフィルムロールのコア６の空洞部に挿入することにより、フィルムロール５の両端面に配置される。フィルムロール５は、例えば熱収縮性筒状ラベル、ストレッチラベルあるいはその他のフィルムがコアを中心にロール状に巻かれたものである。端面保護具４は、フィルムロール５のコア６の両端部を受け止める。
【０００３】
その状態で、フィルムロール５を鉛直方向に立てて段ボール箱７に詰められて、図７（Ｃ）に示すように、天側と底側の蓋をガムテープ２１などで封じて、トラックなどで搬送される。端面保護具４を付けていないと、フィルムロール５が段ボール箱７内で動いて、フィルムロール５の端面が損傷を受けることがあるが、端面保護具４を付けていると、フィルムロール５の段ボール箱７内での動きが規制されて動かなくなり、フィルムロール５の損傷を防ぐ。
【発明の概要】
【発明が解決しようとする課題】
【０００４】
しかし、従来のフィルムロール搬送具は、消費者である顧客に搬送されてフィルムロールが取り出された後、放棄されるのが通常である。このため、搬送具自体にコストがかかるという問題があった。また、従来のフィルムロールの端面保護具４は、段ボール紙１と突出部３であるプラスチックの２つの部材で形成されているため、リサイクルさせる時に両者を分離する必要があるので、リサイクル作業は容易でない。
【０００５】
この発明は、上記のような問題点を解決するためになされたもので、フィルムロール供給者と消費者との間を行き交い、繰り返し使用できる、経済的な、通いフィルムロール搬送具を提供することにある。
【０００６】
この発明の他の目的は、平たく折畳める、通いの搬送に便利なフィルムロール搬送具を提供することにある。
【０００７】
この発明の他の目的は、耐久性のある通いフィルムロール搬送具を提供することにある。
【課題を解決するための手段】
【０００８】
本発明は、フィルムロール供給者と消費者との間を行き交い、繰り返し使用できる通いフィルムロール搬送具であって、フィルムロールの両端面に配置されて該フィルムロールの端面を保護するための折畳み式端面保護具の一対と、上記端面保護具によって上記フィルムロールの両端面を保護した状態で、該フィルムロールを鉛直方向に立てて収納する、折畳み式の段ボール箱とを備える。
【０００９】
本発明によれば、フィルムロールの端面保護具およびフィルムロールを収納する段ボール箱の双方が共に折畳み式であるので、フィルムロールを取り出した後、これらの組み立てを解いて、平たくしてフィルム供給者に戻すことができる。
【００１０】
上記フィルムロールの端面保護具および段ボール箱はプラスチック製であるのが好ましい。
【００１１】
上記段ボール箱の、天側と底側のそれぞれの、両開きする一対の内蓋には、親指が入る程度の大きさの指孔が両者の間に跨って設けられているのが好ましい。これにより、手作業の組み立ておよびそ組み立て解除の動作が容易になる。
【００１２】
上記段ボール箱の外表面には、その上に粘着式ラベルを着脱可能に貼り付けるための、凹凸表面を有するラベル貼り付け手段が設けられているのが好ましい。
【００１３】
粘着式ラベルが、凹凸表面を有するラベル貼り付け手段の上に貼りつけられるので、両者の接着力が強固になるのが防止され、その上に貼り付けられたラベルは着脱可能になる。そのため、消費者から段ボール箱がフィルムロール供給者に戻ってきた際にラベルを剥がして、新しい製品のラベルに張り替えて、再度、消費者に送り届けることが可能となり、繰り返し使用ができる。
【００１４】
上記折畳み式端面保護具は、好ましくは、フィルムロールの両端面に配置されて該フィルムロールの端面を保護するための、第１の直立部材と第２の直立部材とが交差して板状部材の面上に直立する突出部を有するものであり、段ボールシートが２枚重ねにされた板状部材を備える。上記突出部の一方である第１の直立部材は、上記２枚重ねの一方の段ボールシートから切り出され、上記突出部の他方である第２の直立部材は、上記２枚重ねの他方の段ボールシートから切り出されている。
【００１５】
また、上記板状部材の２枚重ねは、１枚の段ボールシートが折り曲げられて構成されていてもよい。
【００１６】
上記板状部材は、２枚重ねにされると丈夫になる。突出部の一方である上記第１の直立部材は、もともと上記２枚重ねの一方の段ボールシートから切り出され、上記突出部の他方である上記第２の直立部材は、上記２枚重ねの他方の段ボールシートから切り出されて、組み立てられているので、組み立てを解くと、元の一枚のダンボールシートに戻り、平たくなる。
【００１７】
この発明のさらに好ましい実施態様によれば、上記第１の直立部材と上記第２の直立部材とは十字に交差して上記板状部材の面上に直立している。十字に交差して板状部材の面上に直立する突出部は、強固な突出部となる。
【発明の効果】
【００１８】
本発明によれば、フィルムロールの端面保護具、フィルムロールを収納する段ボール箱の双方が折畳み式であるので、フィルム消費者から供給者に戻る際に、平たくして、搬送できる。嵩高にならないので、トラック輸送等に便利である。
【図面の簡単な説明】
【００１９】
【図１】（Ａ）は本発明の実施例１に係る通いフィルムロール搬送具の概念を説明する図であり、（Ｂ）は、図１（Ａ）におけるＢ−Ｂ線に沿う断面図である。
【図２】折畳み式の段ボール箱の組み立てを解いた状態、すなわち展開図である。
【図３】（Ａ）はフィルムロールの端面保護具の製造方法の第１の工程、（Ｂ）は第２の工程、（Ｃ）は第３の工程を示し、（Ｄ）は完成図を示す。
【図４】（Ａ）はフィルムロールの段ボール箱収納までの第１の工程を示し、（Ｂ）は第２の工程を示し、（Ｃ）は第３の工程を示す。
【図５】実施例１に係る通いフィルムロール搬送具の組み立てを解除したときの図であり、（Ａ）は平たくされたダンボール箱、（Ｂ）は平たくされた端面保護具である。
【図６】実施例２に係る通いフィルムロール搬送具に用いる、端面保護具の他の具体例を示す図である。
【図７】従来のフィルムロール搬送具を説明する図である。
【発明を実施するための形態】
【００２０】
フィルムロール供給者と消費者との間を行き交い、繰り返し使用できる、通いフィルムロール搬送具を得るという目的を、フィルムロールの端面保護具及び段ボール箱の双方を折畳み式にすることによって実現した。以下、本発明の実施例を図を用いて説明する。各図中、同一又は相当する部分には同一の参照番号を付し、その説明を繰り返さない。
【実施例１】
【００２１】
［通いフィルムロール搬送具］
図１（Ａ）を参照して、本発明の実施例１に係る通いフィルムロール搬送具１１は、平たく折畳めるものである。通いフィルムロール搬送具１１は、フィルムロール５の両端面に配置されて該フィルムロール５の端面を保護するための一対の後述する折畳み式の端面保護具２２と、該端面保護具２２によってフィルムロール５の両端面を保護した状態で、フィルムロール５を鉛直方向に立てて収納する、折畳み式の段ボール箱２３とを備える。端面保護具２２と段ボール箱２３は共に、プラスチック製のダンボールシートで形成され、耐久性を有する。段ボール箱２３の外表面の上に、粘着式ラベル２４を着脱可能に貼り付けるための、凹凸表面を有するラベル貼り付け部２５が設けられている。
図１（Ｂ）は、図１（Ａ）におけるＢ−Ｂ線に沿う断面図である。粘着式ラベル２４が凹凸表面を有するラベル貼り付け部２５の上に設けられるので、両者の接触面積は小さくなり、ひいては両者の接着力が強固になるのが防止され、粘着式ラベル２４の着脱が容易になる。したがって、消費者から使用済みの段ボール箱２３がフィルムロール供給者の元に戻ってきた際にラベル２４を容易に剥がして、新しい製品のラベルに貼り替えて、消費者に新しく送り届けることが可能となり、繰り返し使用ができ、経済的である。
【００２２】
［折畳み式の段ボール箱］
図２を参照して、折畳み式の段ボール箱２３の天側には、両開きする、一対の内側上蓋２６ａ，２６ｂと、内側上蓋２６ａ，２６ｂを外側から保護する一対の外側上蓋２７ａ，２７ｂが設けられている。一対の外側上蓋２７ａ，２７ｂのそれぞれは、互いに折り重なるような大きさ、形状にされている。一対の内側上蓋２６ａ，２６ａには、双方に跨って、親指が入る程度の大きさの指孔２８が設けられている。指孔２８の存在により、手作業の組み立て、組み立ての解除の動作が容易になり、指孔２８は、行き交い通い箱には便宜な要素となる。
【００２３】
一方の外側上蓋２７ａの内側には面ファスナーの雌雄の一方２９ａが設けられ、他方の外側上蓋２７ｂの外側には、面ファスナーの雌雄の他方２９ｂが設けられている。一方の外側上蓋２７ａの先端は凸部３０になっており、他方の外側上蓋２７ｂには、上記凸部３０を受け入れる形の凹部を形成するための一対の段差部３１が設けられている。段差部の厚みは、凸部３０の厚み、すなわち、ダンボールシートの厚みである。他方の外側上蓋２７ｂには、指孔２８が設けられている。
【００２４】
折畳み式の段ボール箱２３の底側には、両開きする、一対の内側底蓋３２ａ，３２ｂと、内側底蓋３２ａ，３２ｂを保護する一対の外側底蓋３３ａ，３３ｂが設けられている。一対の外側底蓋３３ａ，３３ｂは、互いに折り重なるような大きさ、形状に構成されている。一対の内側底蓋３２ａ，３２ｂの両方に跨って、親指が入る程度の大きさの指孔２８が設けられている。一方の外側底蓋３３ａの外側には面ファスナーの雌雄の一方２９ａが設けられ、他方の外側底蓋３３ｂの内側には、面ファスナーの雌雄の他方２９ｂが設けられている。一方の外側底蓋３３ａ及び他方の外側底蓋３３ｂには、指孔２８が設けられている。組み立ては、フイルムロールを収納してから、丸１、丸２、丸３、丸４、丸５、丸６の順序で、面ファスナーで固定しながら閉じていくことによって行う。組み立ての解除は、その逆の順序をたどる。
【００２５】
［折畳み式端面保護具］
図３（Ｄ）の完成図を参照して、折り畳み式の端面保護具８は、フィルムロールの両端面に配置されて該フィルムロールの端面を保護するためのものであり、プラスチック製の段ボールシートの２枚（１２ａ、１２ｂ）からなる板状部材９を備え、十字に交差して板状部材９の面上に直立する突出部１０を有する。突出部１０を構成する一方の第１の直立部材１５は、一方の段ボールシート１２ａから切り出され、突出部１０の十字の他方である第２の直立部材１６は、他方の段ボールシート１２ｂから切り出されている。
【００２６】
図３（Ｄ）に示すフィルムロールの端面保護具８によれば、板状部材９は、２枚の段ボールシート１２ａ，１２ｂが重ねられて形成されているので、丈夫で、折曲がらない。十字に交差して板状部材の面上に直立する突出部１０は、丈夫で、折曲がらないので、耐久性に優れる。
【００２７】
次に、このようなフィルムロールの端面保護具の製造方法について説明すると、まず図３（Ａ）（Ｂ）を参照して、プラスチック製の段ボールシート１２ａ、１２ｂを２枚準備する。図３（Ａ）を参照して、一方の段ボールシート１２ａに、第１の直立部材１５の形成に必要な切れ目１３、矩形状の第２の直立部材１６と係合する第１の係合用溝１７、及び第１の直立部材１５を直立させるために必要な折り曲げ線１９とを設ける。第１の係合用溝１７は、第１の直立部材１５の領域内に侵入するように、好ましくは第１の直立部材１５の高さの中間にまで延びるように形成する。
【００２８】
図３（Ｂ）を参照して、他方の段ボールシート１２ｂに、第２の直立部材１６の形成に必要な切れ目１４、第１の直立部材１５と係合する第２の係合用溝１８及び第２の直立部材１６を直立させるために必要な折り曲げ線２０とを設ける。第２の係合用溝１８は、第２の直立部材１６の上端から、好ましくは第２の直立部材１６の高さの中間にまで延びるように形成する。
【００２９】
図３（Ｃ）を参照して、それぞれの段ボールシート１２ａ、１２ｂの折り曲げ線１９，２０を折り曲げて、それぞれの面上に第１の直立部材１５及び第２の直立部材１６を形成する。２枚の段ボールシート１２ａ、１２ｂを重ねて、第２の直立部材１６を第１の係合用溝１７に係合させて、かつ第１の直立部材１５を第２の係合用溝１８に係合させて、図３（Ｄ）に示すような、十字に交差して直立する突出部１０を形成する。こうしてできた突出部１０は２つの直立部材１５，１６が係合しながら十字に交差しているので、しっかりと板状部材９の上で直立し、前後左右に倒れることはない。また、組み立ての解除が可能である。上下の指孔２８は段違いになっており、すなわち段ボールシート１２ａ、１２ｂの重ね方向に対して直交する方向にずれて形成されており、これにより組み立て解除時の作業が容易となる。
【００３０】
［フィルムロールを段ボール箱に収納するまでの工程］
図４（Ａ）を参照して、端面保護具８とフィルムロール５を準備する。図４（Ａ）、（Ｂ）を参照して、端面保護具８を、フィルムロール５の両端面に配置し、板状部材９の面上に直立する突出部１０を、フィルムロール５のコア６の空洞部に挿入する。この状態で、図４（Ｃ）と図２を参照して、フィルムロール５を鉛直方向に立てて段ボール箱２３に収納し、丸１、丸２、丸３、丸４、丸５、丸６の順序で、天側と底側それぞれの内側蓋と外側蓋を面ファスナーで閉じる。得られたフィルムロールを収容した段ポール箱２３は、トラックなどで搬送される。フィルムロール５は、端面保護具８により、段ボール箱２３の中で、その動きが規制されて、段ボール箱２３の内壁と接触することもなく、何ら損傷を受けない。
【００３１】
[フィルムロール消費者側での組み立ての解除]
図５（Ａ））（Ｂ）に示すように、フィルムロール５を取り出した後の段ボール箱２３及び端面保護具８は、組み立てた順序と逆の順序で組み立てを解除されて、平たくされて、フィルムロール供給者に戻される。フィルムロール供給者は、消費者から戻ってきた平たい段ボール箱のまずラベル２４を剥がして、新しい製品のラベルに貼り替え、次に立体的に組み立てる。また、消費者から戻ってきた図５（Ｂ）に示す平たい端面保護具８を立体的に組み立て、新しいフィルムロールの両端面に配置した状態で、上記組み立てた段ボール箱２３の中に収納して、再び消費者に送り届ける。このような繰り返しが可能となるので、経済的である。なお、図５（Ａ）中、ダンボール箱底側（底面外側）に設けられたアンチスリップテープ３４は、運搬時の横滑りやロッキング挙動を抑制する効果を発揮するものである。
【実施例２】
【００３２】
上記実施例では、２枚のダンボールシートから端面保護具を作成した場合を例示したが、この発明はこれに限られるものでなく、図６に示すような、一枚の段ボールシートが２枚重ねになるように折り曲げられてなる板状部材から作成してもよい。
【００３３】
詳しく説明すると、図６（Ａ）に示すように、１枚の長いプラスチック製の段ボールシート１２を準備する。段ボールシート１２の一方の側１２ａに、図３（Ａ）に示したような、第１の直立部材１５の形成に必要な切れ目１３、矩形状の第２の直立部材１６と係合する第１の係合用溝１７、及び第１の直立部材１５を直立させるために必要な折り曲げ線１９とを設ける。段ボールシート１２の他方の側１２ｂに、図３（Ｂ）に示したような第２の直立部材１６の形成に必要な切れ目１４、第１の直立部材１５と係合する第２の係合用溝１８及び第２の直立部材１６を直立させるために必要な折り曲げ線２０とを設ける。
【００３４】
図６（Ｂ）を参照して、第１の直立部材１５は段ボールシート１２の水平面に対して下側に向いて立つように、そして第２の直立部材１６は上側に向いて立つように、折り曲げ線１９，２０を折り曲げて、それぞれの面上に立つ第１の直立部材１５及び第２の直立部材１６を形成する。段ボールシート１２の中央部分を矢印の方向に折り曲げて、他方の側１２ｂに一方の側１２ａが重なるように重ねて、第２の直立部材１６を第１の係合用溝１７に係合させて、かつ第１の直立部材１５を第２の係合用溝１８に係合させて、図６（Ｃ）に示す、十字に交差して直立する突出部１０を形成する。本実施例によれば、１枚の段ボールシートを加工するだけなので、部品点数が少なくなり、製造工程が簡略化される。
【００３５】
なお、上記実施例では、いずれも突出部が、第１の直立部材と第２の直立部材が十字（９０度）に交差してなる場合を例示したが、この発明はこれに限られるものでなく、第１の直立部材と第２の直立部材が０〜９０度の任意の範囲で交差する突出部であってもよい。
【００３６】
また、上記実施例では、双方の直立部材の高さが等しい場合を例示したが、双方の直立部材の高さは等しくなくてもよい。
【００３７】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３８】
本発明の通いフィルムロール搬送具は、組み立ての解除後は、平たくでき、繰り返し使用することができ、経済的効率が高い。
【符号の説明】
【００３９】
１ 段ボール紙
２ 板状部材
３ 突出部
４ フィルムロールの端面保護具
５ フィルムロール
６ コア
７ 段ボール箱
８ フィルムロールの端面保護具
９ 板状部材
１０ 突出部
１１ 通いフィルムロール搬送具
１２ 一枚の段ボールシート
１２ａ      一方の段ボールシート
１２ｂ      他方の段ボールシート
１３，１４  切れ目
１５ 第１の直立部材
１６ 第２の直立部材
１７ 第１の係合用溝
１８ 第２の係合用溝
１９，２０  折り曲げ線
２１ ガムテープ
２２ 端面保護具
２３ ダンボール箱
２４ 粘着式ラベル
２５ ラベル貼り付け部
２６ａ、２６ｂ     内側上蓋
２７ａ、２７ｂ     外側上蓋
２８ 指孔
２９ａ、２９ｂ     面ファスナー
３０ 凸部
３１ 段差部
３２ａ，３２ｂ     内側底蓋
３３ａ，３３ｂ     外側底蓋
３４ アンチスリップテープ
【図１】
2016196324.tif 000003
【図２】
2016196324.tif 000004
【図３】
2016196324.tif 000005
【図４】
2016196324.tif 000006
【図５】
2016196324.tif 000007
【図６】
2016196324.tif 000008
【図７】
2016196324.tif 000009